(57)【特許請求の範囲】
【請求項１】
読取手段を移動させて原稿の読取りを行う画像読取装置において、
コンタクトガラスと、
このコンタクトガラスの一端に設けられ、所定長さ以上の原稿を挿入するための給紙口と、
この給紙口から挿入された所定長さ以上の原稿をコンタクトガラスに沿って下流側に案内する第１給紙経路と、
この第１給紙経路を前記コンタクトガラスとで形成するとともにこのコンタクトガラスの一部を覆うコンタクトガラスカバー手段と、
このコンタクトガラスカバー手段の下流側に隣接して設けられ、原稿を前記コンタクトガラスに沿って下流側に搬送するとともに前記コンタクトガラスの残部を覆う搬送手段と、
この搬送手段と前記コンタクトガラスカバー手段との間で前記第１給紙経路と合流し所定長さ以下の原稿を案内する第２給紙経路とを備え、
前記コンタクトガラスの下流側端部に原稿を読み取る際に基準となる読取基準位置を設定し、原稿を下流側に搬送する前記搬送手段の一方向回転により、前記第1給紙経路または前記第2給紙経路を介して給送された原稿を前記読取基準位置まで搬送して載置するようにしたことを特徴とする画像読取装置。
【請求項２】
読取手段を移動させて原稿の読取りを行う画像読取装置において、
略垂直に設置されたコンタクトガラスと、
このコンタクトガラスの上端に設けられ所定長さ以上の原稿を挿入するための給紙口と、
この給紙口から挿入された所定長さ以上の原稿を前記コンタクトガラスに沿って案内する第１給紙経路と、
この第１給紙経路を前記コンタクトガラスとで形成するとともにこのコンタクトガラスを覆うよう設けられたコンタクトガラスカバー手段と、
このコンタクトガラスカバー手段の下方に隣接して設けられ原稿を前記コンタクトガラスに沿って下方向に搬送するとともに前記コンタクトガラスの残部を覆う搬送手段と、
この搬送手段と前記コンタクトガラスカバー手段との間で前記第1給紙経路と合流し所定長さ以下の原稿を案内する第2給紙経路とを備え、
前記コンタクトガラスの下端部に原稿を読み取る際基準となる読取基準位置を設定するとともに、原稿を下方向に搬送する前記搬送手段の一方向回転により、前記第1給経路または前記第2給紙経路を介して給送された原稿を前記読取基準位置まで搬送するようにしたことを特徴とする画像読取装置。
【請求項３】
前記第１給紙経路または前記第2給紙経路は原稿を一枚に分離し給送する給紙手段を備えていることを特徴とする請求項１または請求項２に記載の画像読取装置。
【請求項４】
前記第１給紙経路は手差し原稿を給紙する手差し原稿用給紙経路であることを特徴とする請求項１または請求項２に記載の画像読取装置。
【請求項５】
前記手差し原稿用給紙経路には従動ローラが設けられていることを特徴とする請求項４に記載の画像読取装置。
【請求項６】
前記コンタクトガラスカバー手段は原稿を支持する給紙トレイを兼ねていることを特徴とする請求項２に記載の画像読取装置。
【請求項７】
前記給紙トレイは、前記第1給紙経路および前記コンタクトガラスと前記搬送手段とからなる搬送経路に対し屈曲していることを特徴とする請求項６に記載の画像読取装置。
【請求項８】
画像読取装置のコンタクトガラスの一端に設けられた読取基準位置に原稿を搬送載置する原稿搬送装置であって、
所定長さ以上の原稿を挿入するよう前記コンタクトガラスの他端に設けられた給紙口と、
この給紙口から挿入された原稿を前記読取基準位置に向けて案内する第1給紙経路と、
前記第1給紙経路を形成するとともに前記コンタクトガラスの一部を覆うコンタクトガラスカバー手段と、
前記コンタクトガラスカバー手段の下流側に隣接して設けられ、原稿を前記読取基準位置まで搬送載置するとともにコンタクトガラスの残部を覆う搬送手段と、
前記コンタクトガラスカバー手段と前記搬送手段との間で前記第1給紙経路と合流し、所定長さ以下の原稿を前記読取基準位置に向けて案内する第2給紙経路とを備え、
前記搬送手段の一方向回転により、前記第1給紙経路または前記第2給紙経路を介して給送された原稿を前記読取基準位置まで搬送させるようにしたことを特徴とする原稿搬送装置。
【発明の詳細な説明】
【０００１】
【発明の属する技術分野】
本発明は、画像読取装置の読取位置に原稿を搬送する原稿搬送装置、およびこの原稿搬送装置を備えた画像読取装置に関し、特に、画像読取装置のコンタクトガラス上に原稿を搬送して載置する搬送手段と、この搬送手段に隣接してコンタクトガラスの残部を覆うコンタクトガラスカバー手段とを備えた原稿搬送装置、そしてこの原稿搬送装置を備えた画像読取装置に関する。
【０００２】
【従来の技術】
従来、この種の原稿搬送装置としては、例えば、図７、８に示すような構造のものが知られている（特開平６−９０３２２参照）。
これは、コンタクトガラス５５の一部を覆う搬送手段５０の搬送ベルト５３と、この搬送ベルト５３に隣接して設けられ、残りのコンタクトガラスを覆うコンタクトガラスカバー手段（コンタクトガラスカバー本体）４１とを備えている。そして、給紙トレイ１１上に載置された原稿は、ピックアップローラ２３により繰出され、給紙ローラ２４と分離ローラ２５とで一枚に分離された後、停止しているレジストローラ２６とレジスト押えローラ２７のニップ点に当接されて傾きが取り除かれる。さらに、原稿は搬送ベルト５３よって読み取りの行われる基準位置Ｐ１に向けて搬送されるが、レジストセンサＳ２で原稿が短尺（Ｓサイズ）と判別された場合は、駆動源であるモータＭ２（ここでは図示せず）の正回転による搬送ベルト５３の時計方向の回転によって基準位置Ｐ１まで搬送されて停止する。しかし、原稿が長尺（Ｌサイズ）と判別された場合は、モータＭ２の正回転による搬送ベルト５３の時計方向回転によって送られ、原稿先端が排紙センサＳ３に検知されてから所定時間後に一旦停止される。（この時原稿の後端は隣接部Ｒを通過している）次に、モータＭ２の逆回転による搬送ベルト５３の反時計方向の回転により原稿は逆送される。そしてこの時、図８に示すように、レジストローラ軸２６ａ、駆動アーム４６、係合ピン４５を介したモータＭ２の逆回転駆動によってリンク部材４４が反時計方向に回転し、コンタクトガラスカバー本体４１が支軸４２を中心に回動し、左方向に開いて所定間隙ｇができる。そして、原稿はこの間隙ｇに挿入され、微小時間後逆送は停止し、再びモータＭ２の正回転による搬送ベルト５３によって順送されて基準位置Ｐ１まで搬送されて停止される。さらにこの時、モータＭ２の正回転によって駆動アーム４６、リンク部材４４が時計方向に回動し、コンタクトガラスカバー本体４１が下方に落下する。このような構造により、処理頻度の高い短尺サイズの原稿の読取位置までの搬送距離を短くすることで搬送時間の短縮化が図られている。
【０００３】
【発明が解決しようとする課題】
しかし、上記の装置では、長尺原稿の場合、一旦順送した後逆送し、再び順送させて（スイッチバック）読取基準位置まで搬送しており、搬送距離が長く時間がかかってしまう。また、コンタクトガラスカバー部材を上下動させるための部品点数の増加、さらにこのコンタクトガラスカバー部材を駆動させるための駆動系、この駆動を制御する制御系の複雑化が問題となっていた。
そこで、本発明の第1の目的は、短尺原稿の搬送時間を短縮するとともに長尺原稿の搬送距離および搬送時間を短縮する構造が簡易な原稿搬送装置およびこのような原稿搬送装置を備え全体の処理時間を短縮する画像読取装置を提供することである。さらに、第2の目的は、上記第1の目的に加え装置の設置面積の縮小化をも図った画像読取装置の提供をすることである。
【０００４】
【課題を解決するための手段】
上記課題を解決するために、本発明の請求項１に関わる画像読取装置は、読取手段を移動させて原稿の読取りを行う画像読取装置において、コンタクトガラスと、このコンタクトガラスの一端に設けられ、所定長さ以上の原稿を挿入するための給紙口と、この給紙口から挿入された所定長さ以上の原稿をコンタクトガラスに沿って下流側に案内する第１給紙経路と、この第１給紙経路を前記コンタクトガラスとで形成するとともにこのコンタクトガラスの一部を覆うコンタクトガラスカバー手段と、このコンタクトガラスカバー手段の下流側に隣接して設けられ、原稿を前記コンタクトガラスに沿って下流側に搬送するとともに前記コンタクトガラスの残部を覆う搬送手段と、この搬送手段と前記コンタクトガラスカバー手段との間で前記第１給紙経路と合流し所定長さ以下の原稿を案内する第２給紙経路とを備え、前記コンタクトガラスの下流側端部に原稿を読み取る際に基準となる読取基準位置を設定し、原稿を下流側に搬送する前記搬送手段の一方向回転により、前記第1給紙経路または前記第2給紙経路を介して給送された原稿を前記読取基準位置まで搬送して載置するようにしたことを特徴としている。
【０００５】
このような構成からなる本発明によれば、コンタクトガラスの一端の給紙口から挿入された所定長さ以上の原稿は、コンタクトガラスを覆うコンタクトガラスカバー手段とコンタクトガラスとで形成された第１給紙経路を介し、搬送手段の一方向回転によってコンタクトガラスの下流側端部に設けられた読取基準位置まで搬送される。従って、スイッチバックすることなく所定長さ以上の原稿を読取基準位置まで搬送することができるようになり、搬送距離、搬送時間を短縮することができる。さらにコンタクトガラスカバー手段が給紙経路を形成しているので、スイッチバック時に伴うコンタクトガラスカバー手段を上下動させる必要がなくなり、部品点数を減少できるとともに、駆動系、制御系が複雑化することがない。また、所定長さ以下の原稿は、ガイド手段と搬送手段との間から第１給紙経路と合流して読取基準位置まで搬送されるので、搬送距離および搬送時間の短縮化を維持することができる。したがって、原稿の搬送から読み取りまでの全体の処理時間を短縮することができる。
【０００６】
本発明に関わる第２の請求項は、読取手段を移動させて原稿の読取りを行う画像読取装置において、略垂直に設置されたコンタクトガラスと、このコンタクトガラスの上端に設けられ所定長さ以上の原稿を挿入するための給紙口と、この給紙口から挿入された所定長さ以上の原稿を前記コンタクトガラスに沿って案内する第１給紙経路と、この第１給紙経路を前記コンタクトガラスとで形成するとともにこのコンタクトガラスを覆うよう設けられたコンタクトガラスカバー手段と、このコンタクトガラスカバー手段の下方に隣接して設けられ原稿を前記コンタクトガラスに沿って下方向に搬送するとともに前記コンタクトガラスの残部を覆う搬送手段と、この搬送手段と前記コンタクトガラスカバー手段との間で前記第1給紙経路と合流し所定長さ以下の原稿を案内する第2給紙経路とを備え、前記コンタクトガラスの下端部に原稿を読み取る際基準となる読取基準位置を設定するとともに、原稿を下方向に搬送する前記搬送手段の一方向回転により、前記第1給経路または前記第2給紙経路を介して給送された原稿を前記読取基準位置まで搬送するようにしたことを特徴としている。
【０００７】
このような構成からなる本発明は、上述した請求項１と同様な効果が得られるとともに、コンタクトガラスを略垂直に設けることで、設置面積を縮小することができる。また、このコンタクトガラスカバー手段は原稿を支持する給紙トレイを兼ねることでより一層部品点数を減少させることができる。また本発明は、第１給紙経路または第2給紙経路が、積載された原稿を一枚に分離し給送する給紙手段を備えることも可能で、さらなる処理時間を短縮することができる。また、前記第１給紙経路は手差し原稿を給紙する手差し原稿用給紙経路とすることも可能で、さらにこの手差し原稿用給紙経路には従動ローラを設けることで、コンタクトガラスカバー手段との抵抗を低減することができる。
【０００８】
またさらに、本発明に係る第８の請求項は、画像読取装置のコンタクトガラスの一端に設けられた読取基準位置に原稿を搬送載置する原稿搬送装置であって、所定長さ以上の原稿を挿入するよう前記コンタクトガラスの他端に設けられた給紙口と、この給紙口から挿入された原稿を前記読取基準位置に向けて案内する第1給紙経路と、前記第1給紙経路を形成するとともに前記コンタクトガラスの一部を覆うコンタクトガラスカバー手段と、前記コンタクトガラスカバー手段の下流側に隣接して設けられ、原稿を前記読取基準位置まで搬送載置するとともにコンタクトガラスの残部を覆う搬送手段と、前記コンタクトガラスカバー手段と前記搬送手段との間で前記第1給紙経路と合流し、所定長さ以下の原稿を前記読取基準位置に向けて案内する第2給紙経路とを備え、前記搬送手段の一方向回転により、前記第1給紙経路または前記第2給紙経路を介して給送された原稿を前記読取基準位置まで搬送させるようにしたことを特徴としている。このような構成からなる本発明によれば、請求項1と同様に、所定長さ以下の原稿の搬送時間の短さを維持したまま、所定長さ以下の原稿の搬送距離および搬送時間を短くすることができる。
【０００９】
【発明の実施の形態】
以下、この発明の一実施例について図面を参照して説明する。
【００１０】
本実施例は、本発明の原稿搬送装置および画像読取装置を、原稿である写真の画像を読み取る画像読取装置に適用した例であり、例えば写真取扱店などに設置され、客から持ち込まれたプリント写真や店内で焼き付けされた写真の画像を読み取り、加工編集して、CD−R等の記録媒体に保存するサービス等に使用される。
【００１１】
図１は、画像読取装置１の全体構成を示す断面図である。また、図２は、画像読取装置１の駆動系を示す図である。図３、４は自動給紙モードのフローチャートである。図４は、パノラマ写真モードのフローチャートである。図６は、パノラマ写真が読取位置に搬送された状態を示す図である。
【００１２】
図１に示すように、この画像読取装置１は、写真を一枚ずつ搬送する搬送装置（原稿搬送装置）２と、透明なガラスから成るコンタクトガラス３００を備えた写真の画像を読み取る入力装置３とから構成され、複数枚の写真を自動的に1枚ずつ入力装置３へ搬送して読み取るモード（自動給紙モード）と、手差しにより1枚ずつ入力装置３へ搬送して読み取るモード（手差し給紙モード、パノラマモード）とを備え、スタートスイッチ（図示せず）のオンにより読み取りを開始するように構成されている。そして、搬送装置２によって読み取りの行われる所定位置に写真が搬送、載置されると読取手段であるキャリッジ３０１が写真の長さに応じた距離をコンタクトガラス３００に沿って移動しながら読み取りを行うように構成されている。
【００１３】
さらに図１に示すように、装置の枠体（フレーム）の一面７０１に据付け手段である円柱状の４個の脚体７００がねじ止めされている。そして、この脚体７００を用いて読取装置１を設置することで、コンタクトガラス３００を設置面に対し略垂直な状態で設置することができるようになり、さらに装置の安定性を保持することが出来るようになっている。したがって、従来、装置の設置面に対し水平に設けられていたコンタクトガラス３００および後述する搬送部５０を、装置の設置面に対し略垂直に設置することで、装置の設置面積を減少させることが出来た。
【００１４】
搬送装置２は、所定長さ以上の写真を給送する手差し給紙部１０と、所定長さ以下の写真を給送する自動給紙部２０と、手差し給紙部１０または自動給紙部２０から給送された写真を読取の行われる所定位置に搬送する搬送部５０と、読み取りの行われた写真を排紙する排紙部６０とから構成されている。
【００１５】
なお、本実施例で所定長さ以下の写真（以下Ｓサイズ写真という）とは、例えばＥサイズ（８８ｍｍ×１１７ｍｍ）、Ｌサイズ（８８ｍｍ×１２７ｍｍ）、４Ｒサイズ（４インチ×６インチ）、ハイビジョンサイズ（８８ｍｍ×１５６ｍｍ）、インスタント写真小（８６ｍｍ×５４ｍｍ）、インスタント写真大（８６ｍｍ×１０８ｍｍ）で、所定長さ以上の写真とは、パノラマ写真（８８ｍｍ×２５４ｍｍ、以下パノラマ写真という）である。
【００１６】
手差し給紙部１０は、手動で開閉するカバー１０１、写真を案内するためのガイド部１１０、コンタクトガラス３００の上端に設けられたパノラマ写真を挿入するための給紙口１０Ｃ、写真を載置（支持）するための手差し給紙トレイ１０８ａとコンタクトガラスの一部を覆うコンタクトガラスカバー部１０８ｂとから成るコンタクトガラスカバー１０８、エンプティセンサ１１１で構成されている。
【００１７】
カバー１０１は、回転軸１０２を軸にして手動で回転させて開閉でき、手差し給紙トレイ１０８ａ上に写真が載置されていない不使用時には、このカバー１０１を閉じて、給紙口１０Ｃからほこりなどのゴミが入らないようになっている。また、写真の読取時には、カバー１０１を閉めることにより外光の入射を防止するようになっている。
【００１８】
ガイド部１１０は、写真を給紙口１０Ｃに案内するよう設けられ、従動ローラ１０４、１０５、１０６、１０７がガイド部材１０３に取り付けられている。この従動ローラ１０４、１０５、１０６、１０７は、手動で写真を挿入口１３Ｃから挿入する時や写真が搬送される時に写真とガイド部材１０３との接触抵抗を低減させるために設けられている。
【００１９】
コンタクトガラスカバー１０８は樹脂または金属で構成され、ガイド２０４にねじで固定されている。また、写真と接する面は平面で、コンタクトガラス３００と対向している面は、後述する搬送ベルト５０５と同様な色または同等な反射率にして背景を均一化し、読み取った画像に背景の影響が出ないようにしてある。また、屈曲部より上方の手差し給紙トレイ１０８ａは、後述する第１給紙経路１０９、搬送経路５０７に対して屈曲しており、給紙口１０Ｃからゴミが直接第１給紙経路１０９や搬送経路５０７に混入することを防いでいる。また、屈曲部より下方のコンタクトガラスカバー部１０８ｂは、コンタクトガラス３００の一部を覆い、給紙口１０Ｃから挿入されたパノラマ写真をコンタクトガラス３００に沿って下方（下流側）に案内するための第1給紙経路１０９をこのコンタクトガラス３００の一部とで形成している。そして、本実施例では、写真の厚さが約０．３ｍｍに対し、コンタクトガラスカバー部１０８ｂとコンタクトガラス３００間（第１給紙経路１０９）を約１ｍｍとし、読取時には、写真の後端側を支持して画像面が読取手段の焦点深度内となるようにするとともに遮光の機能をも果たしている。なお、コンタクトガラスカバー部１０８ｂとコンタクトガラス３００間の距離は、写真など原稿の厚さなどに応じて変更しても構わない。
【００２０】
自動給紙部２０は、手動で開閉される給紙トレイカバー２００と、複数枚のＳサイズ写真が積載される給紙トレイ２０２と、この給紙トレイ２０２上の写真が挿入される給紙口２０Ｃと、この給紙口２０Ｃから挿入された写真を下流側に案内するガイド２０４、２０５と、このガイド２０４と２０５とで形成されている第２給紙経路２０３に沿って写真を給送する給紙手段２１と、給紙トレイ２０２上の写真の有無を検知するエンプティセンサ２０６とを備えている。
【００２１】
給紙トレイ２０２は、下方から押圧する弾性部材（ばね）２３０と、回転軸２３１とを備えており、常にばね２３０によって押し上げられた状態となっている。
【００２２】
給紙トレイカバー２００は、回転軸２３１を支点として回転し、この給紙トレイカバー２００と係合して回転するレバー２３２を備えている。このレバー２３２は、回転軸２３３を軸として回転し、給紙トレイ２０２に一体で設けられた係合ピン２３４とも係合している。そして、給紙トレイカバー２００を開けたとき、レバー２３２は押し下げられ、さらにこのレバー２３２で係合ピン２３４が下に押し下げられ、給紙トレイ２０２は下がり、写真を載置できる状態となる。給紙トレイカバー２００を閉めたとき、レバー２３２は上昇し係合ピン２３４とは係合せず、給紙トレイ２０２はフリー状態となる。そしてこのとき給紙トレイ２０２は、ばね２３０によって押し上げられた状態となり、給紙トレイ２０２上に載置された写真の最上面が後述するピックアップローラ２５０に接する状態となる。
【００２３】
第２給紙経路２０３は、ガイド２０４、２０５とで形成され、給紙トレイ２０２上の写真を下流側に案内し、コンタクトガラスカバー１０８と搬送ベルト５０５との間で第１給紙経路１０９と合流する。この合流点Ｘ近傍には、写真の先端から後端を検知し、写真のサイズや停止位置までの送り量を決定するためのタイミングセンサ２０７、写真の向きを偏向してコンタクトガラス３００方向へ給送させるよう、コンタクトガラスカバー１０８に設けられた従動ローラ２１０、２１１、２１２、２１３とを備えている。これら複数の従動ローラ２１０、２１１、２１２、２１３は隣接するローラの外周が互いにオーバラップするように千鳥状に配列され、写真面にキズや汚れが付くことを低減している。さらに、従動ローラ２１０は給紙口１３Ｃから給送されたパノラマ写真とコンタクトガラスカバー１０８との搬送時の抵抗を低減させる機能をも備えている。
【００２４】
給紙手段２１は、給紙トレイ１０上の写真を繰出すピックアップローラ２５０、繰出された写真を下流側に給送する給紙ローラ２５１Ｗ、給紙ローラ２５１Ｗとで繰出された写真を一枚に分離する分離ローラ２５２、写真の傾きを修正し下流側に搬送するレジストローラ対２５３、２５４、写真とガイド２０６との接触抵抗を低減するガイドローラ２５５とで構成されている。
【００２５】
搬送部５０は、ローラ５０１、５０２、５３３、５０４に張架された搬送手段の搬送ベルト５０５と、搬送ベルト５０５の内側に位置し、搬送されている写真を吸引する吸引部５３１と、搬送ベルト５０５の下流側端部（下端部）に位置し、後述する搬送経路５０７に出没自在に駆動され、写真を読取基準位置Ｔで停止させるストッパ５０８とで構成されている。
【００２６】
搬送ベルト５０５は、コンタクトガラスカバー１０８の下流側（下方）に隣接して設けられ、コンタクトガラスカバー１０８で覆われた部分以外のコンタクトガラス３００面を覆うとともに、コンタクトガラス３００とで搬送経路３００を形成し、原稿を読取基準位置Ｔまで搬送する。そしてこの搬送ベルト５０５のコンタクトガラス３００を覆う長さは、Ｓサイズ写真の長手方向よりも長く、パノラマ写真の長手方向よりも短くなるように設定されている。さらに、搬送ベルト５０５は、複数の細幅のベルトで構成され、各ベルトには複数の吸引孔が設けられている。さらに、この搬送ベルト５０５は、テンション部材５１０でテンションが掛けられており、コンタクトガラス３００と接触しないようになっている。
【００２７】
吸引部５３１は、搬送ベルト５０５と接する面に複数の吸気用孔が設けられたチャンバ５３２とこのチャンバ５３２を減圧するためのファン５０３とを備えており、ファン５０３の回転により、チャンバ５３２が減圧され、搬送ベルト５０５と搬送されている写真が吸引されるようになっている。このように、吸引部５３１を設け、吸引しながら写真を搬送することで、写真とコンタクトガラス３００とが接触しなくなり、搬送不良を防止することができる。
【００２８】
また、搬送部５０と搬送ベルト５０５に駆動を伝達する伝達手段とをユニット化し、グリップ５１１を引くことによりこのユニットの下方に設けた回転軸５０９を中心にユニットが回転して搬送経路５０７を開放できるようになっている。従って、ジャム解除が容易である。
【００２９】
排紙部６０は、読み取りの終了した写真を収納するための排紙トレイ６０１と、コンタクトガラス３００の下端部に設けられ、読取位置Ｔから搬出された写真の向きを変えて案内する複数のローラ６０２(回転体)と、この複数のローラ６０２の下流側に設けられ、写真を排紙トレイ６０１に向けて案内する排紙経路６０４に沿って写真を搬送する排紙手段６１と、写真の後端を検知する排紙センサ６１３とを備えている。
【００３０】
複数のローラ６０２は写真搬送方向に連続して設けられ、隣接するローラの外周が互いにオーバラップするように千鳥状に配列されている。このように湾曲し写真面に接触する側の経路に複数のローラ６０２を設けたので、写真面にキズや汚れが付くことを低減できる。
【００３１】
排紙手段６１は、排紙経路６０４を形成するガイド６０３と、このガイド６０３に設けられた従動ローラ６０５、６０６、６０７を備えている。さらに、プーリ６０８、６０９、６１０に張架され、排紙経路６０４を形成する排紙ベルト６１２とを備えている。
【００３２】
なお、湾曲した排紙経路６０４の写真の画像面に接する側を排紙ベルト６１２で形成したので、写真面にキズや汚れが付くのを低減できる。また、写真に対して搬送力が付与される面積が増大し、搬送力を落とすことなくニップ力を低減できる。
【００３３】
次に、搬送装置２の駆動系について図２を用いて説明する。
【００３４】
この搬送装置２は正逆転可能な搬送モータＭ1とストッパモータＭ２（図示せず）を搭載している。
【００３５】
搬送モータＭ１の正転駆動でピックアップローラ２５０、給紙ローラ２５１ｗを駆動し、逆転駆動でレジストローラ２５３、搬送ベルト５０５、排紙ベルト６１２を駆動するように連結されている。具体的には、搬送モータＭ１の正転で、ピックアップローラ２５０、給紙ローラ２５１ｗを図示反時計方向に回転させ、逆回転で、レジストローラ２５３、排紙ベルト６１２（駆動プーリ６１０）を反時計方向に、搬送ベルト５０５（駆動ローラ５０１）を時計方向に回転させる。ストッパモータＭ２は、ストッパ２７３が搬送ベルト２１１とコンタクトガラス３００間の搬送経路に出没するように連結されている。
【００３６】
次に入力装置３について説明する。
【００３７】
入力装置３は図１、２に示すように、装置の設置面に対し略垂直に配置されたコンタクトガラス３００と、このコンタクトガラス３００の下方に設けられたシェーディング補正に用いる白基準板３２３と、写真の読み取りを行う読み取り手段、例えばキャリッジ３０１と、このキャリッジ３０１をコンタクトガラス３００に沿って上下に移動させるよう駆動プーリ３１９と従動プーリ３２０に張架されたタイミングベルト３２１と、駆動プーリ３１９とタイミングベルト３２１を介してキャリッジ３０１を上下に移動させる駆動源の正逆転可能なキャリッジモータＭ３とを備えている。
【００３８】
図１に示すようにキャリッジ３０１は、白基準板３２３の下端部近傍のホームポジションＨとコンタクトガラス３００の上端の間をコンタクトガラス３００に沿って自在に昇降移動できるようになっている。ここで、ホームポジションＨとは装置の非作動時にキャリッジ３０１が保持される位置のことである。
【００３９】
キャリッジ３０１は、写真に光を照射するキセノンランプなどの光源３０３と、写真からの反射光を反射させる複数のミラー３０４、３０５、３０６、３０７と、ミラー３０７からの反射光を結像させるレンズユニット３０８と、結像された反射光を光電変換するＣＣＤなどのカラーのイメージセンサ３０９と、イメージセンサ３０９が取り付けられたセンサ基板３２５とを備えた一体のユニットである。
【００４０】
そして図２に示すように、キャリッジモータＭ３の正転駆動によりタイミングベルト３２１が時計方向に回転しキャリッジ３０１が上昇移動し、逆転駆動によりタイミングベルト３２１が反時計方向に回転しキャリッジ３０１が下降移動し、本実施例では上昇移動しながら読取を行わせるようにしている。
【００４１】
また、キャリッジ３０１のホームポジションセンサ３３０は下フレーム７０１に設けられている。
【００４２】
上述したように、コンタクトガラスを装置の設置面に対し略垂直に配置し、これに合わせて読取手段を昇降移動可能なように取付け、さらに搬送装置もコンタクトガラスにあわせて配置したことで、画像読取装置自体の設置面積を縮小させることができたものである。
【００４３】
次に、上記構成の画像読取装置１の動作について図３、４、５、のフローチャートを用いて説明する。
【００４４】
始めに、自動給紙モードについて説明する。
【００４５】
まず、給紙トレイ２０２にＳサイズ写真の読取面を上にしてセットし、給紙トレイカバー２００を閉める。すると、レバー２３２と係合ピン２３４との係合がはずれ、給紙トレイ２０２が回転軸２３１を中心に回転しながら上昇し、最上の写真面がピックアップローラ２５０に押し当てられ、エンプティセンサ２０６がオンする。
【００４６】
次に、図示しない操作部により、自動給紙モードを選択し（ステップＳ１）、スタートスイッチをオンする（ステップＳ２）。給紙トレイ２０２上の写真がエンプティセンサ２０６によって検出される（ステップＳ３）と搬送モータＭ１が正転駆動され、ピックアップローラ２５０が反時計方向に回転し、最上面の写真を繰り出し、給紙口２０Ｃから第１給紙経路２０３に写真を送り込む。これと同時に、吸引ファン５０３が回転し、チャンバ５０２の吸引が行われる（ステップＳ４）。繰り出された写真は反時計方向に回転している給紙ローラ２５１ｗと下側から弾性的に押圧されている分離ローラ２５２とによって１枚に確実に分離され、下流側に搬送される。
【００４７】
そして、写真の先端が停止しているレジストローラ対２５３、２５４のニップ点に突き当てられてレジストループを描く。このようにして写真の傾きが取り除かれると、搬送モータＭ１の駆動を停止する。（ステップＳ５）。
【００４８】
次に、搬送モータＭ１を逆転駆動させると同時にストッパモータＭ２（図示せず）を駆動させてストッパ５０８を搬送経路５０７に突出させる（ステップＳ６）。写真はレジストローラ２５３（レジストローラ２５４はレジストローラ２５３に従動）の回転により搬送ベルト５０５まで搬送され、搬送ベルト５０５に達した写真は、吸引されながら搬送ベルト５０５の時計方向の回転により読取基準位置Ｔまで搬送される。この時、写真の先端および後端がレジストセンサ２０７により検知され写真のサイズが判別される（ステップＳ７）。そして、先端が検知されてから所定時間後に搬送モータＭ１を停止し、搬送ベルト５０５の回転を停止する（ステップＳ８）。このとき写真の先端はストッパ５０８に当接し、写真はコンタクトガラス３００と搬送ベルト５０５の間（搬送経路５０７中）に吸引されながら読取基準位置Ｔで固定される。
【００４９】
次に、読取処理が行われる。
【００５０】
ストッパモータＭ２の駆動によりストッパ５０８が退避した（ステップＳ９）後にキャリッジモータＭ３を正転駆動するとタイミングベルト３２１が図示時計方向に回転し、キャリッジ３０１がホームポジションＨから上昇して行く。キャリッジ３０１は上昇しながらシェーディング補正用に白基準板３２３を読み取り、その後、読取開始基準位置Ｔから写真長さに応じた距離を上昇移動しながら写真の読み取りを行う（ステップＳ１０）。そして、読み取りが完了するとキャリッジモータＭ３が正転駆動を停止する（ステップＳ１１）。
【００５１】
次にキャリッジモータＭ３と搬送モータＭ１が逆転駆動する（ステップＳ１２）。キャリッジモータＭ３の逆転駆動でベルト３２１が反時計方向に回転し、キャリッジ３０１はホームポジションＨまで下降する。そして、ホームポジションセンサ３３０で検出されると（ステップＳ１３）、キャリッジモータＭ３が停止する（ステップＳ１４）。また、搬送モータＭ１の逆転駆動で搬送ベルト５０５、排紙ベルト６１２がそれぞれ時計方向、反時計方向に回転し、写真は排紙トレイ６０１に排出される。また、排紙センサ６１３により写真の先端が検知されると搬送モータＭ１の回転速度が減速し、次に写真の後端が検出し（ステップＳ１５）、所定時間後に搬送モータＭ１が停止する（ステップＳ１６）。
【００５２】
以上で写真の読み取りが終了するが、エンプティセンサ２０６により次の写真が検知されると、上記と同様な手順により読み取りが行われ、給紙トレイ上の写真がなくなるまで繰り返し行われる。
【００５３】
次に、パノラマモードについて説明する。
【００５４】
まず、パノラマ写真一枚を給紙口１３Ｃ、第１給紙経路１０９を介して写真の先端が搬送ベルト５０５とコンタクトガラス３００の間に到達するまで（例えば搬送ベルト５０５の中心まで）手動で挿入する。このとき写真の後端側は、手差し給紙トレイ１０８ａに載置された状態となっており、さらにエンプティセンサ１１１がオンする。
【００５５】
次に、図示しない操作部によりパノラマモードを選択し（ステップＳ１）、スタートスイッチ（図示せず）をオンする(ステップＳ３１)。手差し給紙トレイ１０８ａ上の写真がエンプティセンサ１１１によって検出される（ステップＳ３２）と搬送モータＭ１を逆転駆動し、搬送ベルト５０５が時計方向に回転する。これと同時に、吸引ファン５０３が回転してチャンバ５３２の吸引を行い、さらにストッパモータＭ２が駆動してストッパ５０８が搬送経路５０７に突出する(ステップＳ３３)。
【００５６】
そして、吸引ファン５０３により搬送ベルト２１１に吸引されながら搬送ベルト２１１の時計方向の回転により写真は下流側に搬送され、所定時間後に搬送モータＭ１が停止し、搬送ベルト５０５の回転が停止する(ステップＳ３３)。このときパノラマ写真は、図６に示すように、先端がストッパ５０８に当接して読取基準位置Ｔで停止しており、後端部側は、コンタクトガラスカバー部１０８ａとコンタクトガラス３００の間（第1給紙経路）に挟まれた（支持された）状態となる。
【００５７】
次に、読取処理が行われる。読取処理は、自動給紙モードで説明したステップ９からステップ１６と同様に、まず、ストッパモータＭ２が退避（ステップＳ３５）後にキャリッジモータＭ３を正転駆動するとベルト３２１が図示時計方向に回転し、ベルト３２１に結合されたキャリッジ３０１がホームポジションＨから上昇して行く。キャリッジ３０１は上昇しながらシェーディング補正用に白基準板３２３を読み取り、その後、読取開始基準位置Ｔから写真長さに応じた距離を上昇移動しながら写真の読み取りを行う（ステップＳ３６）。そして、読み取りが完了するとキャリッジモータＭ３が正転駆動を停止する（ステップＳ３７）。
【００５８】
次にキャリッジモータＭ３と搬送モータＭ１が逆転駆動する（ステップＳ３８）。キャリッジモータＭ３の逆転駆動でベルト３２１が反時計方向に回転し、キャリッジ３０１はホームポジションＨまで下降する。そして、ホームポジションセンサ３３０で検出されると（ステップＳ３９）、キャリッジモータＭ３が停止する（ステップＳ４０）。また、搬送モータＭ１の逆転駆動で搬送ベルト５０５、排紙ベルト６１２がそれぞれ時計方向、反時計方向に回転し、写真は排紙トレイ６０１に排出される。また、排紙センサ６１３により写真の先端が検知されると搬送モータＭ１の回転速度が減速し、次に写真の後端が検出し（ステップＳ４１）、所定時間後に搬送モータＭ１が停止し（ステップＳ４２）、パノラマ写真の読み取りが終了する。
【００５９】
上述したように本実施形態では、Ｓサイズ写真の場合は、第1給紙経路１０９を介さず直接搬送ベルト５０５の回転によって読取基準位置５０８まで搬送されることで、搬送距離を短くし搬送時間を短くでき、ひいては全処理時間が短縮できる。特に本実施例のように、コンタクトガラスを垂直にした画像読取装置の場合は、使用頻度の低いパノラマ写真に合わせて使用頻度の高いＳサイズ写真の給紙トレイを高くする必要がないため操作性が良くなる。
【００６０】
またパノラマ写真の場合は、給紙口１０Ｃをコンタクトガラス３００の端部に設け、この給紙口１０Ｃから挿入されたパノラマ写真を案内する第1給紙経路をコンタクトガラス３００とコンタクトガラスカバー１０８とで形成するにより、搬送ベルト５０５の時計方向の一方向だけの回転だけで（スイッチバックをすることなく）読取基準位置Ｔ１に搬送することができる。したがって、搬送経路を短くすることで搬送時間を短くすることができ、ひいては全処理時間を短縮できる。さらに、コンタクトガラス３００を垂直状に設置したので設置面積を縮小することができる。
【００６１】
なお、本実施例では写真の読み取り装置として説明したが、写真に限らず例えば普通紙など他の原稿を読み取る画像読み取り装置にも適用でき、さらにこの場合は吸引部を設けず、搬送ベルトとコンタクトガラスとの摩擦だけで読取基準位置まで搬送させるようにしても構わない。（写真の場合も必要に応じて吸引部を設けなくても構わない）さらに、必要に応じて所定長さ以上の原稿の給紙を自動で行うことにより、処理時間をより短縮することも可能である。
【００６２】
また、本実施例では設置面積の縮小化をも目的としたコンタクトガラスが垂直な画像読取装置を示したが、一般に用いられている設置面に対し水平なコンタクトガラスを用いた画像読取装置およびこの画像読取装置に用いた原稿搬送装置でも、原稿搬送時間の短縮化および全処理時間の短縮化は可能である。
【００６３】
上記のように、本発明に係る装置によれば、複雑な制御や駆動を行わずに簡易な構成で所定長さ以下の原稿の搬送時間を短縮するとともに所定長さ以上の原稿の搬送時間を短縮して全処理時間を短縮し、さらに設置面積の縮小をもし得る。
【図面の簡単な説明】
【図１】読取装置１の内部構造を示す断面図である。
【図２】写真読み取り装置１の内部構造を示す断面図である。
【図３】自動給紙モードのフローチャートである。
【図４】自動給紙モードのフローチャートである。
【図５】パノラマ写真モードのフローチャートである。
【図６】パノラマ写真が読取位置に搬送された状態を示す図である。
【図７】従来の原稿搬送装置の一例を示す図である。
【図８】従来の原稿搬送装置の一例を示す図である。
【符号の説明】
１  写真読み取り装置
２  搬送装置
３  入力装置
１０  手差し給紙部
２０  自動給紙部
５０  搬送部
６０  排紙部
【図１】
0003650057.tif 000002
【図２】
0003650057.tif 000003
【図３】
0003650057.tif 000004
【図４】
0003650057.tif 000005
【図５】
0003650057.tif 000006
【図６】
0003650057.tif 000007
【図７】
0003650057.tif 000008
【図８】
0003650057.tif 000009